(57)【要約】      （修正有）【課題】ユーザが手に取って使用する電子機器の電源オン／オフに際し、ユーザの能動的な操作を必要としない制御技術を提供する。【解決手段】携帯機器１０各部への電力供給を行う電源部１４と、温度センサ１７と、前記温度センサ１７の検出結果に基づいて前記携帯機器１０各部への電力供給をオン／オフさせるように前記電源部１４を制御する制御部１５とを有し、前記温度センサ１７は前記携帯機器１０の使用状態において、ユーザの体の一部が当接または近接する箇所に設置されている。【選択図】図１
2012065127.tif 000002
【特許請求の範囲】
【請求項１】
携帯機器各部への電力供給を行う電源部と、
温度センサと、
前記温度センサの検出結果に基づいて携帯機器各部への電力供給をオン／オフさせるように前記電源部を制御する制御部と、
を有することを特徴とする携帯機器。
【請求項２】
前記温度センサは、前記携帯機器の使用状態において、ユーザの体の一部が当接または近接する箇所に設置されていることを特徴とする請求項１に記載の携帯機器。
【請求項３】
前記温度センサは、前記携帯機器の側面に設置されていることを特徴とする請求項２に記載の携帯機器。
【請求項４】
ユーザの操作を受け付ける操作部をさらに有し、
前記温度センサは、前記操作部またはその近傍に設置されていることを特徴とする請求項２に記載の携帯機器。
【請求項５】
前記制御部は、前記温度センサで所定の上昇勾配値を超える温度上昇が検出されたときに携帯機器各部への電力供給をオンとし、逆に、前記温度センサで所定の低下勾配値を超える温度低下が検出されたときに携帯機器各部への電力供給をオフとするように、前記電源部を制御することを特徴とする請求項２〜請求項４のいずれか１項に記載の携帯機器。
【請求項６】
照度センサをさらに有し、
前記制御部は、前記温度センサで所定の上昇勾配値を超える温度上昇が検出されたときであっても、前記照度センサで検出された照度が所定の閾値を上回っていれば、携帯機器各部への電力供給をオンとしないように、前記電源部を制御することを特徴とする請求項５に記載の携帯機器。
【請求項７】
異なる箇所に設置された第１及び第２の照度センサをさらに有し、
前記制御部は、前記温度センサで所定の上昇勾配値を超える温度上昇が検出されたときであっても、前記第１及び第２の照度センサで得られた検出結果が一致していれば、携帯機器各部への電力供給をオンとしないように、前記電源部を制御することを特徴とする請求項５に記載の携帯機器。
【請求項８】
前記第１の照度センサは、前記携帯機器の使用状態において、ユーザの体の一部が当接または近接する箇所に設置されており、
前記第２の照度センサは、前記携帯機器の使用状態において、ユーザの体の一部が当接または近接しない箇所に設置されていることを特徴とする請求項７に記載の携帯機器。
【請求項９】
折り畳み機構またはスライド機構をさらに有し、
前記第２の照度センサは、前記折り畳み機構または前記スライド機構の開閉状態に応じて、光の照射状態が変化する箇所に設置されていることを特徴とする請求項８に記載の携帯機器。
【請求項１０】
近接センサをさらに有し、
前記制御部は、前記温度センサで所定の上昇勾配値を超える温度上昇が検出されたときであっても、前記近接センサでユーザの体の一部の当接または近接が検出されていなければ、携帯機器各部への電力供給をオンとしないように、前記電源部を制御することを特徴とする請求項５に記載の携帯機器。
【請求項１１】
異なる箇所に設置された第１及び第２の近接センサをさらに有し、
前記制御部は、前記温度センサで所定の上昇勾配値を超える温度上昇が検出されたときであっても、前記第１及び第２の近接センサで得られた検出結果が一致していれば、携帯機器各部への電力供給をオンとしないように、前記電源部を制御することを特徴とする請求項５に記載の携帯機器。
【請求項１２】
前記第１の近接センサは、前記携帯機器の使用状態において、ユーザの体の一部が当接または近接する箇所に設置されており、
前記第２の近接センサは、前記携帯機器の使用状態において、ユーザの体の一部が当接または近接しない箇所に設置されていることを特徴とする請求項１１に記載の携帯機器。
【請求項１３】
加速度センサをさらに有し、
前記制御部は、前記温度センサで所定の上昇勾配値を超える温度上昇が検出されたときであっても、前記加速度センサで検出された加速度が所定の閾値を下回っていれば、携帯機器各部への電力供給をオンとしないように、前記電源部を制御することを特徴とする請求項５〜請求項１２のいずれか１項に記載の携帯機器。
【発明の詳細な説明】
【技術分野】
【０００１】
本発明は、携帯電話機、携帯型ゲーム機、携帯型電子手帳、携帯型電子ブック、ハンドヘルドＰＣ、リモコンなど、主としてユーザが手に取って使用する電子機器（以下、このような電子機器を「携帯機器」と総称する）に関するものであり、特にその電源オン／オフ制御技術に関する。
【背景技術】
【０００２】
従来より、携帯機器の電源オン／オフ手法（省電力モードの復帰／移行手法を含む）としては、（１）電源スイッチの押下を検知する、（２）タッチパネルに表示された電源アイコンへのタッチを検知する、（３）折り畳み型携帯機器の開閉状態を検知する、などが知られている。
【０００３】
なお、本発明に関連する従来技術の一例としては、特許文献１（センサ電話機）を挙げることができる。
【先行技術文献】
【特許文献】
【０００４】
【特許文献１】特開平５−３４７６７２号公報
【発明の概要】
【発明が解決しようとする課題】
【０００５】
上記した電源オン／オフ手法のうち、（１）と（２）の手法は同工異曲であり、両手法に本質的な差違はない。また、いずれの手法も、電源オン／オフを行うための能動的な操作（押下ないしタッチ）をユーザに要求するものである。そのため、例えば、電源オフ状態の携帯機器を使おうとするユーザは、まず最初に電源オン操作を行わなければならず、ワンアクションで所望の動作（携帯電話機であれば、相手先への発呼や電話帳検索など）に入ることができない、という課題があった。
【０００６】
また、上記した電源オン／オフ手法のうち、（３）の手法は、携帯機器を使用するための行動（折り畳み機構の開閉操作）がそのまま電源オン／オフ操作に相当しており、電源オン／オフを行うための能動的な操作をユーザに要求することがない、という意味で優れた手法である。しかしながら、（３）の手法は、折り畳み型携帯機器のみが適用対象であり、バー型携帯電話機や一般的に折り畳み型ではない携帯機器（携帯型電子ブック、リモコンなど）には適用することができない、という課題があった。
【０００７】
本発明は、本願の発明者によって見い出された上記の問題点に鑑み、電源オン／オフに際してユーザの能動的な操作を必要としない携帯機器を提供することを目的とする。
【課題を解決するための手段】
【０００８】
上記目的を達成するために、本発明に係る携帯機器は、携帯機器各部への電力供給を行う電源部と、温度センサと、前記温度センサの検出結果に基づいて携帯機器各部への電力供給をオン／オフさせるように前記電源部を制御する制御部と、を有する構成（第１の構成）とされている。
【０００９】
なお、上記第１の構成から成る携帯機器において、前記温度センサは、前記携帯機器の使用状態において、ユーザの体の一部が当接又は近接する箇所に設置されている構成（第２の構成）にするとよい。
【００１０】
また、上記第２の構成から成る携帯機器において、前記温度センサは、前記携帯機器の側面に設置されている構成（第３の構成）にするとよい。
【００１１】
また、上記第２の構成から成る携帯機器は、ユーザの操作を受け付ける操作部をさらに有し、前記温度センサは、前記操作部又はその近傍に設置されている構成（第４の構成）にするとよい。
【００１２】
また、上記第２〜第４いずれかの構成から成る携帯機器にて、前記制御部は、前記温度センサで所定の上昇勾配値を超える温度上昇が検出されたときに携帯機器各部への電力供給をオンとし、逆に、前記温度センサで所定の低下勾配値を超える温度低下が検出されたときに携帯機器各部への電力供給をオフとするように、前記電源部を制御する構成（第５の構成）にするとよい。
【００１３】
また、上記第５の構成から成る携帯機器は、照度センサをさらに有し、前記制御部は、前記温度センサで所定の上昇勾配値を超える温度上昇が検出されたときであっても、前記照度センサで検出された照度が所定の閾値を上回っていれば、携帯機器各部への電力供給をオンとしないように、前記電源部を制御する構成（第６の構成）にするとよい。
【００１４】
また、上記第５の構成から成る携帯機器は、異なる箇所に設置された第１及び第２の照度センサをさらに有し、前記制御部は、前記温度センサで所定の上昇勾配値を超える温度上昇が検出されたときであっても、前記第１及び第２の照度センサで得られた検出結果が一致していれば、携帯機器各部への電力供給をオンとしないように、前記電源部を制御する構成（第７の構成）にするとよい。
【００１５】
また、上記第７の構成から成る携帯機器にて、前記第１の照度センサは、前記携帯機器の使用状態において、ユーザの体の一部が当接または近接する箇所に設置されており、前記第２の照度センサは、前記携帯機器の使用状態において、ユーザの体の一部が当接または近接しない箇所に設置されている構成（第８の構成）にするとよい。
【００１６】
また、上記第８の構成から成る携帯機器は、折り畳み機構またはスライド機構をさらに有し、前記第２の照度センサは、前記折り畳み機構または前記スライド機構の開閉状態に応じて光の照射状態が変化する箇所に設置されている構成（第９の構成）にするとよい。
【００１７】
また、上記第５の構成から成る携帯機器は、近接センサをさらに有し、前記制御部は、前記温度センサで所定の上昇勾配値を超える温度上昇が検出されたときでも、前記近接センサでユーザの体の一部の当接又は近接が検出されていなければ、携帯機器各部への電力供給をオンとしないように前記電源部を制御する構成（第１０の構成）にするとよい。
【００１８】
また、上記第５の構成から成る携帯機器は、異なる箇所に設置された第１及び第２の近接センサをさらに有し、前記制御部は、前記温度センサで所定の上昇勾配値を超える温度上昇が検出されたときであっても、前記第１及び第２の近接センサで得られた検出結果が一致していれば、携帯機器各部への電力供給をオンとしないように、前記電源部を制御する構成（第１１の構成）にするとよい。
【００１９】
また、上記第１１の構成から成る携帯機器において、前記第１の近接センサは、前記携帯機器の使用状態において、ユーザの体の一部が当接または近接する箇所に設置されており、前記第２の近接センサは、前記携帯機器の使用状態において、ユーザの体の一部が当接または近接しない箇所に設置されている構成（第１２の構成）にするとよい。
【００２０】
また、上記第５〜第１２いずれかの構成から成る携帯機器は、加速度センサをさらに有し、前記制御部は、前記温度センサで所定の上昇勾配値を超える温度上昇が検出されたときであっても、前記加速度センサで検出された加速度が所定の閾値を下回っていれば、携帯機器各部への電力供給をオンとしないように、前記電源部を制御する構成（第１３の構成）にするとよい。
【発明の効果】
【００２１】
本発明によれば、電源オン／オフに際してユーザの能動的な操作を必要としない携帯機器を提供することが可能となる。
【図面の簡単な説明】
【００２２】
【図１】本発明に係る携帯機器の一実施形態を示すブロック図
【図２】電源オン／オフ制御の第１動作例を示すフローチャート
【図３】電源オン／オフ制御の第２動作例を示すフローチャート
【図４】電源オン／オフ制御の第３動作例を示すフローチャート
【図５】電源オン／オフ制御の第４動作例を示すフローチャート
【図６】折り畳み型携帯電話機への適用例を示す模式図
【図７】スライド型携帯電話機への適用例を示す模式図
【図８】バー型携帯電話機への適用例を示す模式図
【図９】携帯型ゲーム機への適用例を示す模式図
【発明を実施するための形態】
【００２３】
＜ブロック図＞
図１は、本発明に係る携帯機器の一実施形態を示すブロック図である。図１に示すように、本実施形態の携帯機器１０は、表示部１１と、操作部１２と、記憶部１３と、電源部１４と、制御部１５と、機能部１６と、温度センサ１７と、照度センサ１８と、加速度センサ１９と、を有する。
【００２４】
表示部１１は、制御部１５の指示に基づいて文字や図形などを表示する。なお、表示部１１としては、液晶ディスプレイや有機ＥＬディスプレイなどを用いることができる。
【００２５】
操作部１２は、ユーザの操作を受け付けてその内容を制御部１５に伝達する。なお、操作部１２としては、ボタン、キー、タッチパネルなどを用いることができる。
【００２６】
記憶部１３は、制御部１５で実行されるプログラムの格納領域や、制御部１５で取り扱われる各種データの一時格納領域として利用される。なお、記憶部１３としては、ＲＯＭ［Read Only Memory］やＲＡＭ［Random Access Memory］などを用いることができる。
【００２７】
電源部１４は、制御部１５の指示に基づいて携帯機器１０各部への電力供給を行う。なお、携帯機器１０では、電源部１４の電源としてバッテリが用いられているため、携帯機器１０の稼働時間を延ばすためには、携帯機器１０の動作状態に応じて適切な電源オン／オフ制御（浪費電力の低減制御）を行うことが重要となる。
【００２８】
制御部１５は、携帯機器１０各部の動作を統括的に制御する。特に、本実施形態の携帯機器１０において、制御部１５は、温度センサ１７、照度センサ１８、及び、加速度センサ１９の検出結果に基づいて、携帯機器１０各部への電力供給をオン／オフさせるように電源部１４を制御する機能を備えている。なお、制御部１５による電源オン／オフ制御については、後ほど具体例を挙げながら詳細に説明する。
【００２９】
機能部１６は、携帯機器１０としての本来的な機能を実現するための回路ブロックである。例えば、携帯機器１０が携帯電話機であれば、回線接続部や通話部（マイク、スピーカ）などが機能部１６に含まれることになり、また、携帯機器１０が携帯型ゲーム機であれば、ゲームカートリッジ着脱部などが機能部１６に含まれることになる。
【００３０】
温度センサ１７は、設置箇所の温度を検出し、これに応じた電気信号を生成して制御部１５に伝達する。なお、温度センサ１７は、携帯機器１０の使用状態において、ユーザの体の一部（手や指など）が当接又は近接する箇所に設置すればよい。このような構成とすることにより、ユーザが携帯機器１０を手で保持したときに、ユーザの手や指が触れた部分の温度変化を検出して、後述の電源オン／オフ制御に反映させることが可能となる。
【００３１】
例えば、携帯機器１０が折り畳み型携帯電話機である場合（図６）、携帯機器１０がスライド型携帯電話機である場合（図７）、或いは、携帯機器１０がバー型携帯電話機である場合（図８）には、いずれも、ユーザが携帯機器１０を手で保持したときに、携帯機器１０の側面（例えば符号Ａ１１、Ａ２１、Ａ３１で示された箇所）にユーザの指が当接または近接することが多いと考えられるので、このような位置に温度センサ１７を設置することが望ましい。また、携帯機器１０が携帯型ゲーム機（図９）の場合には、ユーザが携帯機器１０を手で保持したときに、携帯機器１０の操作部１２またはその近傍（例えば符号Ａ４１で示された箇所）にユーザの指が載せられることが多いと考えられるので、このような位置に温度センサ１７を設置することが望ましい。
【００３２】
照度センサ１８は、設置箇所の照度を検出し、これに応じた電気信号を生成して制御部１５に伝達する。なお、携帯機器１０に照度センサ１８を一つだけ設置する場合、照度センサ１８は、携帯機器１０の使用状態において、ユーザの体の一部（手や指など）が当接又は近接する箇所に設置すればよい。このような構成とすることにより、ユーザが携帯機器１０を手で保持したときに、ユーザの手や指が触れた部分が暗くなったことを検出して後述の電源オン／オフ制御に反映させることが可能となる。
【００３３】
例えば、携帯機器１０が折り畳み型携帯電話機である場合（図６）、携帯機器１０がスライド型携帯電話機である場合（図７）、或いは、携帯機器１０がバー型携帯電話機である場合（図８）には、いずれも、ユーザが携帯機器１０を手で保持したときに、携帯機器１０の側面（例えば符号Ｂ１１、Ｂ２１、Ｂ３１で示された箇所）にユーザの指が当接または近接することが多いと考えられるので、このような箇所に照度センサ１８を設置することが望ましい。また、携帯機器１０が携帯型ゲーム機である場合（図９）には、ユーザが携帯機器１０を手で保持したときに、携帯機器１０の操作部１２またはその近傍（例えば符号Ｂ４１で示された箇所）にユーザの指が載せられることが多いと考えられるので、このような箇所に照度センサ１８を設置することが望ましい。
【００３４】
なお、携帯機器１０には、異なる箇所に複数の照度センサ１８を設けることも可能である。このような構成を採用する場合には、携帯機器１０の使用状態において、ユーザの体の一部が当接または近接する箇所に第１の照度センサ１８−１を設置すると共に、携帯機器１０の使用状態において、ユーザの体の一部が当接または近接しない箇所に第２の照度センサ１８−２を設置することが望ましい。例えば、携帯機器１０が表示部１１を備えた携帯電話機や携帯型ゲーム機である場合（図６〜図９）には、いずれも、ユーザが携帯機器１０を手で保持したときに、表示部１１の周辺箇所（例えば符号Ｂ１２、Ｂ２２、Ｂ３２、Ｂ４２で示された箇所）にユーザの指が当接または近接することは少ないと考えられるので、このような箇所に第２の照度センサ１８−２を設置すればよい。このように、異なる箇所に設置された第１及び第２の照度センサ１８−１，２を有する構成とすることにより、第１及び第２の照度センサ１８−１，２で得られた検出結果の一致／不一致を判定して、後述の電源オン／オフ制御に反映させることが可能となる。
【００３５】
特に、携帯機器１０が折り畳み型携帯電話機である場合（図６）、或いは、携帯機器１０がスライド型携帯電話機である場合（図７）には、折り畳み機構又はスライド機構の開閉状態に応じて、光の照射状態が変化する箇所（例えば符号Ｂ１２、Ｂ２２で示された箇所）に第２の照度センサ１８−２を設置すればよい。このような構成とすることにより、第２の照度センサ１８−２の検出結果から折り畳み機構やスライド機構の開閉状態を判定して、後述の電源オン／オフ制御に反映させることが可能となる。
【００３６】
なお、上記した照度センサ１８については、監視対象の近接を検出し、これに応じた電気信号を生成して制御部１５に伝達する近接センサ１８’に置換することも可能である。
【００３７】
加速度センサ１９は、携帯機器１０に生じた加速度を検出し、これに応じた電気信号を生成して制御部１５に伝達する。なお、加速度センサ１９としては、携帯機器１０への搭載に適したＭＥＭＳ［Micro Electro Mechanical Systems］デバイスを用いることが望ましい。このような構成とすることにより、ユーザが携帯機器１０を手で保持したときに生じる加速度を検出して、後述の電源オン／オフ制御に反映させることが可能となる。
【００３８】
＜第１動作例＞
図２は、電源オン／オフ制御の第１動作例を示すフローチャートである。なお、本フローチャートに含まれる各ステップの実行主体は制御部１５であり、本フローチャートの開始時点において、携帯機器１０各部（制御部１５及び温度センサ１７を除く）への電力供給はオフされているものとする。また、本フローチャートは、温度センサ１７の検出結果のみに応じて電源オン／オフ制御を行う構成であるため、図１で示した照度センサ１８や加速度センサ１９は必須の構成要件ではない。
【００３９】
ステップＳ１０１では、温度センサ１７で所定の上昇勾配値を超える温度上昇が検出されたか否かの判定が行われる。ここで、イエス判定が下された場合にはフローがステップＳ１０２に進められて、携帯機器１０各部への電力供給をオンとするように電源部１４が制御される。一方、ノー判定が下された場合にはフローがステップＳ１０１に戻されて、温度上昇の監視が継続される。
【００４０】
ステップＳ１０２で携帯機器１０各部への電力供給がオンとされた後、ステップＳ１０３では、温度センサ１７で所定の低下勾配値を超える温度低下が検出されたか否かの判定が行われる。ここで、イエス判定が下された場合にはフローがステップＳ１０４に進められて、携帯機器１０各部への電力供給をオフとするように電源部１４が制御された後、フローがステップＳ１０１に戻される。一方、ノー判定が下された場合にはフローがステップＳ１０３に戻されて、温度低下の監視が継続される。
【００４１】
第１動作例に基づく電源オン／オフ制御によれば、携帯機器１０の使用開始に際して、ユーザが携帯機器１０を手で保持したときに、ユーザの手や指が触れた部分の温度上昇を検出して、携帯機器１０各部への電力供給をオンさせることが可能となる。また、第１動作例に基づく電源オン／オフ制御によれば、携帯機器１０の使用終了に際して、ユーザが携帯機器１０を手から離したときに、それまでユーザの手や指が触れていた部分の温度低下を検出して、携帯機器１０各部への電力供給をオフさせることが可能となる。
【００４２】
すなわち、第１動作例に基づく電源オン／オフ制御によれば、電源オン／オフを行うための能動的な操作（押下ないしタッチ）をユーザに要求することなく、携帯機器１０各部への電力供給を適切にオン／オフさせることが可能となる。
【００４３】
なお、ステップＳ１０１やステップＳ１０３で示したように、第１動作例では、温度センサ１７で検出された温度の絶対値ではなく、その１次微分値（すなわち、単位時間当たりの温度変化）に基づいて、電源オン／オフ制御を行う構成とされている。このような構成とすることにより、測定時間の短縮や判定精度の向上を実現することが可能となる。また、所定の上昇勾配値を超える温度上昇、及び、所定の低下勾配値を超える温度低下のみを検出することにより、外気温や室温の変化に伴う緩やかな温度上昇／温度低下が生じても、これに伴う意図しない電源オン／オフを未然に回避することが可能となる。
【００４４】
＜第２動作例＞
図３は、電源オン／オフ制御の第２動作例を示すフローチャートである。なお、本フローチャートに含まれる各ステップの実行主体は制御部１５であり、本フローチャートの開始時点において、携帯機器１０各部（制御部１５及び温度センサ１７を除く）への電力供給はオフされているものとする。
【００４５】
ステップＳ２０１では、温度センサ１７で所定の上昇勾配値を超える温度上昇が検出されたか否かの判定が行われる。ここで、イエス判定が下された場合にはフローがステップＳ２０２に進められて、照度センサ１８と加速度センサ１９への電力供給をオンとするように電源部１４が制御される。一方、ノー判定が下された場合にはフローがステップＳ２０１に戻されて、温度上昇の監視が継続される。
【００４６】
ステップＳ２０２で照度センサ１８と加速度センサ１９への電力供給がオンされた後、ステップＳ２０３では、照度センサ１８で得られた照度が所定の照度条件を充足しているか否かの判定が行われる。ここで、イエス判定が下された場合にはフローがステップＳ２０４に進められ、ノー判定が下された場合にはフローがステップＳ２０９に進められる。
【００４７】
なお、携帯機器１０に照度センサ１８が一つだけ設置されている場合には、ステップＳ２０３において、照度センサ１８で得られた照度が所定の閾値を下回っているか否か、言い換えれば、携帯機器１０を保持するユーザの手や指によって照度センサ１８が覆われた結果、照度センサ１８への入射光が遮られているか否かの判定を行えばよい。このような判定を行うことにより、温度センサ１７で所定の上昇勾配値を超える温度上昇が検出されたときであっても、照度センサ１８がユーザの手や指で覆われておらず、照度センサ１８で検出された照度が所定の閾値を上回っていれば、携帯機器１０各部への電力供給をオンとしないように、電源部１４を制御することができるので、電源オン／オフ制御の精度を高めることが可能となる。
【００４８】
また、携帯機器１０の異なる箇所に第１及び第２の照度センサ１８−１，２が設置されている場合には、ステップＳ２０３において、第１及び第２の照度センサ１８−１，２で各々得られた照度が互いに不一致であるか否か、言い換えれば、携帯機器１０を保持するユーザの手や指によって第１の照度センサ１８−１のみが覆われた結果、第１の照度センサ１８−１への入射光のみが遮られているか否かの判定を行えばよい。このような判定を行うことにより、温度センサ１７で所定の上昇勾配値を超える温度上昇が検出されたときであっても、第１及び第２の照度センサ１８−１，２で各々得られた検出結果が互いに一致していれば、携帯機器１０各部への電力供給をオンとしないように、電源部１４を制御することができるので、電源オン／オフ制御の精度を高めることが可能となる。
【００４９】
また、携帯機器１０が折り畳み型携帯電話機やスライド型携帯電話機であり、第２の照度センサ１８−２が図６の符号Ｂ１２や図７の符号Ｂ２２で示された箇所に設置されている場合には、ステップＳ２０３において、第２の照度センサ１８−２で得られた照度が所定の閾値を上回っているか否か、言い換えれば、携帯機器１０の折り畳み機構やスライド機構が開いた状態とされているか否かの判定を追加的に行ってもよい。このような判定を行うことにより、電源オン／オフ制御の精度をさらに高めることが可能となる。
【００５０】
ステップＳ２０３でイエス判定が下された場合、ステップＳ２０４では、加速度センサ１９で得られた加速度が所定の加速度条件を充足しているか否かの判定（例えば、所定の閾値を上回っているか否かの判定）が行われる。ここで、イエス判定が下された場合にはフローがステップＳ２０５に進められて、携帯機器１０各部への電力供給をオンとするように電源部１４が制御される。一方、ノー判定が下された場合にはフローがステップＳ２０９に進められる。このような判定を行うことにより、温度センサ１７で所定の上昇勾配値を超える温度上昇が検出されたときであっても、加速度センサ１９で検出された加速度が所定の閾値を下回っていれば、携帯機器１０各部への電力供給をオンとしないように、電源部１４を制御することができるので、電源オン／オフ制御の精度を高めることが可能となる。
【００５１】
ステップＳ２０５で携帯機器１０各部への電力供給がオンとされた後、ステップＳ２０６では、所定期間にわたって操作を受け付けていない状態が継続されているか否かの判定が行われる。ここで、イエス判定が下された場合にはフローがステップＳ２０７に進められる。一方、ノー判定が下された場合にはフローがステップＳ２０６に戻されて、操作の待ち受けが継続される。
【００５２】
ステップＳ２０６でイエス判定が下された場合、ステップＳ２０７では、温度センサ１７で所定の低下勾配値を超える温度低下が検出されたか否かの判定が行われる。ここで、イエス判定が下された場合にはフローがステップＳ２０８に進められて、携帯機器１０各部への電力供給をオフとするように電源部１４が制御された後、フローがステップＳ２０１に戻される。一方、ノー判定が下された場合には、フローがステップＳ２０６に戻されて、操作の待ち受けが継続される。
【００５３】
一方、ステップＳ２０３及びステップＳ２０４のいずれかでノー判定が下された場合、ステップＳ２０９では、温度センサ１７で所定の低下勾配値を超える温度低下が検出されたか否かの判定が行われる。ここで、イエス判定が下された場合にはフローがステップＳ２１０に進められて、照度センサ１８と加速度センサ１９への電力供給をオフとするように電源部１４が制御された後、フローがステップＳ２０１に戻される。一方、ノー判定が下された場合には、フローがステップＳ２０３に戻されて、照度条件及び加速度条件の充足監視が継続される。
【００５４】
第２動作例に基づく電源オン／オフ制御によれば、携帯機器１０の使用開始に際して、ユーザが携帯機器１０を手で保持したことに伴い、ユーザの手や指が触れた部分の温度が上昇したこと、ユーザの手や指が触れた部分が暗くなったこと、及び、携帯機器１０に加速度が生じたことを各々検出して、携帯機器１０各部への電力供給をオンさせることが可能となる。また、第２動作例に基づく電源オン／オフ制御によれば、携帯機器１０の使用終了に際して、先述の第１動作例と同様、ユーザが携帯機器１０を手から離したときに、それまでユーザの手や指が触れていた部分の温度低下を検出して、携帯機器１０各部への電力供給をオフさせることが可能となる。
【００５５】
すなわち、第２動作例に基づく電源オン／オフ制御によれば、先述の第１動作例と同様に、電源オン／オフを行うための能動的な操作（押下ないしタッチ）をユーザに要求することなく、かつ、先述の第１動作例に基づく電源オン／オフ制御よりも高い精度で、携帯機器１０各部への電力供給を適切にオン／オフさせることが可能となる。
【００５６】
＜第３動作例＞
図４は、電源オン／オフ制御の第３動作例を示すフローチャートであり、図１の照度センサ１８を近接センサ１８’に置き換えた場合の動作を示したものである。なお、本フローチャートに含まれる各ステップの実行主体は制御部１５であり、本フローチャートの開始時点において、携帯機器１０各部（制御部１５及び温度センサ１７を除く）への電力供給はオフされているものとする。
【００５７】
ステップＳ３０１では、温度センサ１７で所定の上昇勾配値を超える温度上昇が検出されたか否かの判定が行われる。ここで、イエス判定が下された場合にはフローがステップＳ３０２に進められて、近接センサ１８’と加速度センサ１９への電力供給をオンとするように電源部１４が制御される。一方、ノー判定が下された場合にはフローがステップＳ３０１に戻されて、温度上昇の監視が継続される。
【００５８】
ステップＳ３０２で近接センサ１８’と加速度センサ１９への電力供給がオンとされた後、ステップＳ３０３では、近接センサ１８’で得られた検出結果が所定の近接条件を充足しているか否かの判定が行われる。ここで、イエス判定が下された場合にはフローがステップＳ３０４に進められ、ノー判定が下された場合にはフローがステップＳ３０９に進められる。
【００５９】
なお、携帯機器１０に近接センサ１８’が一つだけ設置されている場合には、ステップＳ３０３において、近接センサ１８’でユーザの手や指の当接または近接が検出されているか否かの判定を行えばよい。このような判定を行うことにより、温度センサ１７で所定の上昇勾配値を超える温度上昇が検出されたときであっても、近接センサ１８’でユーザの手や指の当接または近接が検出されていなければ、携帯機器１０各部への電力供給をオンとしないように、電源部１４を制御することができるので、電源オン／オフ制御の精度を高めることが可能となる。
【００６０】
また、携帯機器１０の異なる箇所に第１及び第２の近接センサ１８−１’，２’が設置されている場合は、ステップＳ３０３において、第１及び第２の近接センサ１８−１’，２’で各々得られた検出結果が互いに不一致であるか否か、言い換えれば、携帯機器１０を保持するユーザの手や指が第１の近接センサ１８−１’のみに当接または近接されているか否かの判定を行えばよい。このような判定を行うことにより、温度センサ１７で所定の上昇勾配値を超える温度上昇が検出されたときであっても、第１及び第２の近接センサ１８−１’，２’で各々得られた検出結果が互いに一致していれば、携帯機器１０各部への電力供給をオンとしないように、電源部１４を制御することができるので、電源オン／オフ制御の精度を高めることが可能となる。
【００６１】
ステップＳ３０３でイエス判定が下された場合、ステップＳ３０４では、加速度センサ１９で得られた加速度が所定の加速度条件を充足しているか否かの判定（例えば、所定の閾値を上回っているか否かの判定）が行われる。ここで、イエス判定が下された場合にはフローがステップＳ３０５に進められて、携帯機器１０各部への電力供給をオンとするように電源部１４が制御される。一方、ノー判定が下された場合にはフローがステップＳ３０９に進められる。このような判定を行うことにより、温度センサ１７で所定の上昇勾配値を超える温度上昇が検出されたときであっても、加速度センサ１９で検出された加速度が所定の閾値を下回っていれば、携帯機器１０各部への電力供給をオンとしないように、電源部１４を制御することができるので、電源オン／オフ制御の精度を高めることが可能となる。
【００６２】
ステップＳ３０５で携帯機器１０各部への電力供給がオンとされた後、ステップＳ３０６では、所定期間にわたって操作を受け付けていない状態が継続されているか否かの判定が行われる。ここで、イエス判定が下された場合にはフローがステップＳ３０７に進められる。一方、ノー判定が下された場合にはフローがステップＳ３０６に戻されて、操作の待ち受けが継続される。
【００６３】
ステップＳ３０６でイエス判定が下された場合、ステップＳ３０７では、温度センサ１７で所定の低下勾配値を超える温度低下が検出されたか否かの判定が行われる。ここで、イエス判定が下された場合にはフローがステップＳ３０８に進められて、携帯機器１０各部への電力供給をオフとするように電源部１４が制御された後、フローがステップＳ３０１に戻される。一方、ノー判定が下された場合には、フローがステップＳ３０６に戻されて、操作の待ち受けが継続される。
【００６４】
一方、ステップＳ３０３及びステップＳ３０４のいずれかでノー判定が下された場合、ステップＳ３０９では、温度センサ１７で所定の低下勾配値を超える温度低下が検出されたか否かの判定が行われる。ここで、イエス判定が下された場合にはフローがステップＳ３１０に進められて、近接センサ１８’と加速度センサ１９への電力供給をオフとするように電源部１４が制御された後、フローがステップＳ３０１に戻される。一方、ノー判定が下された場合には、フローがステップＳ３０３に戻されて、近接条件及び加速度条件の充足監視が継続される。
【００６５】
第３動作例に基づく電源オン／オフ制御によれば、携帯機器１０の使用開始に際して、ユーザが携帯機器１０を手で保持したことに伴い、ユーザの手や指が触れた部分の温度が上昇したこと、ユーザの手や指が携帯機器１０に当接または近接していること、及び、携帯機器１０に加速度が生じたことを各々検出して、携帯機器１０各部への電力供給をオンさせることが可能となる。また、第３動作例に基づく電源オン／オフ制御によれば、携帯機器１０の使用終了に際して、先述の第１動作例や第２動作例と同様、ユーザが携帯機器１０を手から離したときに、それまでユーザの手や指が触れていた部分の温度低下を検出して、携帯機器１０各部への電力供給をオフさせることが可能となる。
【００６６】
すなわち、第３動作例に基づく電源オン／オフ制御によれば、先述の第１動作例や第２動作例と同様に、電源オン／オフを行うための能動的な操作（押下ないしタッチ）をユーザに要求することなく、かつ、先述の第１動作例に基づく電源オン／オフ制御よりも高い精度で、携帯機器１０各部への電力供給を適切にオン／オフさせることが可能となる。
【００６７】
＜第４動作例＞
図５は、電源オン／オフ制御の第４動作例を示すフローチャートであり、温度センサ１７を主センサとして常時オンさせるのではなく、照度センサ１８を主センサとして常時オンさせた場合の動作を示したものである。なお、本フローチャートに含まれる各ステップの実行主体は制御部１５であり、本フローチャートの開始時点において、携帯機器１０各部（制御部１５及び照度センサ１８を除く）への電力供給はオフされているものとする。
【００６８】
ステップＳ４０１では、照度センサ１８で得られた照度が所定の照度条件を充足しているか否かの判定が行われる。ここで、イエス判定が下された場合にはフローがステップＳ４０２に進められて、温度センサ１７と加速度センサ１９への電力供給をオンとするように電源部１４が制御される。一方、ノー判定が下された場合にはフローがステップＳ４０１に戻されて、照度条件の充足監視が継続される。
【００６９】
なお、携帯機器１０に照度センサ１８が一つだけ設置されている場合には、ステップＳ４０１において、照度センサ１８で得られた照度が所定の閾値を下回っているか否かの判定を行えばよい。また、携帯機器１０の異なる箇所に各々第１及び第２の照度センサ１８−１，２が設置されている場合には、ステップＳ４０１において、第１及び第２の照度センサ１８−１，２で各々得られた照度が互いに不一致であるか否かの判定を行えばよい。また、携帯機器１０が折り畳み型携帯電話機やスライド型携帯電話機であり、第２の照度センサ１８−２が図６の符号Ｂ１２や図７の符号Ｂ２２で示された箇所に設置されている場合には、ステップＳ４０１において、第２の照度センサ１８−２で得られた照度が所定の閾値を上回っているか否かの判定を追加的に行ってもよい。このような判定を行うことにより、電源オン／オフ制御の精度をさらに高めることが可能となる。
【００７０】
ステップＳ４０２で温度センサ１７と加速度センサ１９への電力供給がオンされた後、ステップＳ４０３では、温度センサ１７で所定の上昇勾配値を超える温度上昇が検出されたか否かの判定が行われる。ここで、イエス判定が下された場合はフローがステップＳ４０４に進められ、ノー判定が下された場合にはフローがステップＳ４０９に進められる。
【００７１】
ステップＳ４０３でイエス判定が下された場合、ステップＳ４０４では、加速度センサ１９で得られた加速度が所定の加速度条件を充足しているか否かの判定（例えば、所定の閾値を上回っているか否かの判定）が行われる。ここで、イエス判定が下された場合にはフローがステップＳ４０５に進められて、携帯機器１０各部への電力供給をオンとするように電源部１４が制御される。一方、ノー判定が下された場合にはフローがステップＳ４１０に進められる。
【００７２】
ステップＳ４０５で携帯機器１０各部への電力供給がオンとされた後、ステップＳ４０６では、所定期間にわたって操作を受け付けていない状態が継続されているか否かの判定が行われる。ここで、イエス判定が下された場合にはフローがステップＳ４０７に進められる。一方、ノー判定が下された場合にはフローがステップＳ４０６に戻されて、操作の待ち受けが継続される。
【００７３】
ステップＳ４０６でイエス判定が下された場合、ステップＳ４０７では、温度センサ１７で所定の低下勾配値を超える温度低下が検出されたか否かの判定が行われる。ここで、イエス判定が下された場合にはフローがステップＳ４０８に進められて、携帯機器１０各部への電力供給をオフとするように電源部１４が制御された後、フローがステップＳ４０１に戻される。一方、ノー判定が下された場合には、フローがステップＳ４０６に戻されて、操作の待ち受けが継続される。
【００７４】
一方、ステップＳ４０３でノー判定が下された場合、ステップＳ４０９では、ステップＳ４０１でイエス判定が下されてから所定時間が経過したか否かの判定が行われる。ここで、イエス判定が下された場合にはフローがステップＳ４１１に進められて、温度センサ１７と加速度センサ１９への電力供給をオフとするように電源部１４が制御された後、フローがステップＳ４０１に戻される。一方、ノー判定が下された場合には、フローがステップＳ４０３に戻されて、温度上昇の監視が継続される。
【００７５】
また、ステップＳ４０４でノー判定が下された場合、ステップＳ４１０では、温度センサ１７で所定の低下勾配値を超える温度低下が検出されたか否かの判定が行われる。ここで、イエス判定が下された場合にはフローがステップＳ４１１に進められて、温度センサ１７と加速度センサ１９への電力供給をオフとするように電源部１４が制御された後、フローがステップＳ４０１に戻される。一方、ノー判定が下された場合には、フローがステップＳ４０４に戻されて、加速度条件の充足監視が継続される。
【００７６】
第４動作例に基づく電源オン／オフ制御によれば、携帯機器１０の使用開始に際して、ユーザが携帯機器１０を手で保持したことに伴い、ユーザの手や指が触れた部分の温度が上昇したこと、ユーザの手や指が触れた部分が暗くなったこと、及び、携帯機器１０に加速度が生じたことを各々検出して、携帯機器１０各部への電力供給をオンさせることが可能となる。また、第４動作例に基づく電源オン／オフ制御によれば、携帯機器１０の使用終了に際して、先述の第１動作例と同様、ユーザが携帯機器１０を手から離したときに、それまでユーザの手や指が触れていた部分の温度低下を検出して、携帯機器１０各部への電力供給をオフさせることが可能となる。
【００７７】
すなわち、第４動作例に基づく電源オン／オフ制御によれば、先述の第１動作例〜第３動作例と同様に、電源オン／オフを行うための能動的な操作（押下ないしタッチ）をユーザに要求することなく、かつ、先述の第１動作例に基づく電源オン／オフ制御よりも高い精度で、携帯機器１０各部への電力供給を適切にオン／オフさせることが可能となる。
【００７８】
なお、改めて図示は行わないが、先述の第２動作例と第３動作例との関係と同じく、第４動作例の照度センサ１８を近接センサ１８’に置き換えることも可能である。
【００７９】
＜その他の変形例＞
なお、本発明の構成は、上記実施形態のほか、発明の主旨を逸脱しない範囲で種々の変更を加えることが可能である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【００８０】
例えば、上記実施形態では、電源オン／オフ制御の第２動作例〜第４動作例において、主センサへの電力供給のみ常時オンとし、主センサ以外への電力供給を必要に応じて適宜オン／オフさせる構成を例に挙げて説明を行ったが、本発明の構成はこれに限定されるものではなく、全センサへの電力供給を常時オンさせる構成としても構わない。後者の構成を採用する場合、図３のステップＳ２０２及びステップＳ２１０、図４のステップＳ３０２及びステップＳ３１０、並びに、図５のステップＳ４０２及びステップＳ４１１はいずれも不要となる。
【００８１】
また、温度センサ１７、照度センサ１８、及び、加速度センサ１９の間に主従関係を持たせることなく、全てのセンサで所定の電源オン条件が充足されたときに、携帯機器１０各部への電力供給をオンとし、少なくとも一つのセンサで上記の電源オン条件が充足されなくなったときに、携帯機器１０各部への電力供給をオフとするように、制御部１５による電源オン／オフ制御を行っても構わない。
【産業上の利用可能性】
【００８２】
本発明は、携帯機器（携帯電話機、携帯型ゲーム機、携帯型電子手帳、リモコンなど）の利便性を高めるための技術として有用に利用することが可能である。
【符号の説明】
【００８３】
１０    携帯機器
１１    表示部
１２    操作部
１３    記憶部
１４    電源部
１５    制御部
１６    機能部
１７    温度センサ
１８、１８−１、１８−２    照度センサ
１８’、１８−１’、１８−２’    近接センサ
１９    加速度センサ
Ａ１１、Ａ２１、Ａ３１、Ａ４１    温度センサの設置箇所
Ｂ１１、Ｂ２１、Ｂ３１、Ｂ４１    第１照度センサの設置箇所
Ｂ１２、Ｂ２２、Ｂ３２、Ｂ４２    第２照度センサの設置箇所
【図１】
2012065127.tif 000003
【図２】
2012065127.tif 000004
【図３】
2012065127.tif 000005
【図４】
2012065127.tif 000006
【図５】
2012065127.tif 000007
【図６】
2012065127.tif 000008
【図７】
2012065127.tif 000009
【図８】
2012065127.tif 000010
【図９】
2012065127.tif 000011